(57)【要約】      （修正有）【課題】床の掃除機能もモップ機能も可能で、多機能的で、掃払仕事が効率的でかつ効果的になるハンドヘルド型掃払構造を提供する。【解決手段】ハンドル１と機体ハウジング２を含んでおり、ハンドル１の下端がカルダン継手３を介して機体ハウジング２に接続され、機体ハウジング２の内部に掃払ユニット４と、水箱ユニット５と、駆動ユニット６と、ゴミ収集ユニット７と、制御ユニット８と、電源ユニット９とが備えられており、掃払ユニット４は、スポンジドラム４１と水溝ロッド４２を含み、水箱ユニット５は、上水箱５２と、下水箱５３と、水供給装置と、汲水装置と中継コネクターを含み、駆動ユニット６は駆動モータ６１を含み、ゴミ収集ユニット７はゴミカセット７１とゴミカセット蓋７３を含み、制御ユニット８はプロセス制御ブロック制御板８１を含み、電源ユニット９は、駆動ユニット６及び制御ユニット８に電気を供給するバッテリ９１を含んでいる。【選択図】図１
0003222463.tif 000002
【実用新案登録請求の範囲】
【請求項１】
ハンドヘルド型掃払構造であって、ハンドルと機体ハウジングを含んでおり、前記ハンド
ルの下端がカルダン継手を介して前記機体ハウジングに接続され、前記機体ハウジングの
内部に掃払ユニットと、水箱ユニットと、駆動ユニットと、ゴミ収集ユニットと、制御ユ
ニットと、電源ユニットとが備えられており、
前記掃払ユニットは、スポンジドラムと水溝ロッドを含み、前記スポンジドラムは前記機
体ハウジングの内部に固定される前記駆動ユニットによって回転を駆動させ、前記機体ハ
ウジングの内部にさらに前記水溝ロッドが備えられており、前記水溝ロッドと前記スポン
ジドラムとが粘着されており、前記水溝ロッドと前記スポンジドラムの接触面に洗浄溝が
形成されており、
前記水箱ユニットは、上水箱と、下水箱と、水供給装置と、汲水装置と中継コネクターを
含み、前記中継コネクターの両端に前記上水箱と前記下水箱が取付けられ、前記上水箱が
前記中継コネクターの外部に設けられる前記水供給装置に連通し、前記水供給装置が前記
上水箱中の上水を前記洗浄溝まで汲い取りるよう形成されており、前記下水箱は前記中継
コネクターの外部に設けられる前記汲水装置に連通し、前記汲水装置が前記洗浄溝中の下
水を前記下水箱まで汲い取るよう形成されており、
前記駆動ユニットは駆動モータを含み、前記駆動モータの出力端が前記スポンジドラムに
接続されており、
前記ゴミ収集ユニットはゴミカセットとゴミカセット蓋を含み、前記機体ハウジングの側
面に前記ゴミカセットを插入させる配置口が開設されており、前記ゴミカセットがスポン
ジドラムの後ろに設けられ、前記ゴミカセットの開口の下方における前記スポンジドラム
に対向する位置にスペードバーが設けられており、前記ゴミカセットの上方にさらに前記
ゴミカセット蓋が設けられ、前記ゴミカセット蓋にさらに一列のブラッシュが設けられ、
前記ブラッシュと前記スポンジドラムとが粘着されており、前記ブラッシュは前記スポン
ジドラムを清掃するために形成されており、前記ゴミカセット内にさらに使い捨てゴミカ
セットが設けられており、
前記制御ユニットはプロセス制御ブロック制御板を含み、前記機体ハウジング内に前記プ
ロセス制御ブロック制御板が取付けられ、前記プロセス制御ブロック制御板が前記駆動ユ
ニット及び前記水箱ユニットに接続され、前記プロセス制御ブロック制御板は前記制御駆
動ユニット及び前記水箱ユニットのオンまたはオフを制御するよう形成されており、
前記電源ユニットは、前記駆動ユニット及び前記制御ユニットに電気を供給するバッテリ
を含んでいる、
ことを特徴とするハンドヘルド型掃払構造。
【請求項２】
前記水供給装置は水ポンプ進水パイプと、水ポンプと、浄水出水パイプとを備えており、
前記水ポンプ進水パイプが前記上水箱に連通し、前記浄水出水パイプと前記水ポンプ進水
パイプの間に前記水ポンプが設けられており、前記浄水出水パイプが前記洗浄溝の一端に
設置されており、
前記汲水装置はエアポンプ進気パイプと、エアポンプと、エアポンプ排气パイプと、下水
進水パイプとを含んでおり、前記エアポンプ進気パイプと前記下水箱とが連通し、前記エ
アポンプ進気パイプと前記エアポンプ排气パイプの間に前記エアポンプが設置され、前記
下水箱にさらに前記下水進水パイプが接続され、前記下水進水パイプが前記洗浄溝におけ
る前記浄水出水パイプと反対側の他端に接続されている、
ことを特徴とする請求項1に記載のハンドヘルド型掃払構造。
【請求項３】
前記下水進水パイプと前記下水箱の接続位置に下水進水口が設置され、さらに前記下水箱
内に逆流防止装置が設置され、前記逆流防止装置はホルダと遮水シートを含み、前記遮水
シートが折り曲げ可能な軽質弾性シートであり、前記ホルダによって前記遮水シートを前
記下水進水口に固定しており、前記遮水シートと前記下水進水口の間に隙間が空いており
、前記汲水装置が起動すると、前記下水進水パイプ中の水が前記下水箱に進入することが
でき、前記汲水装置が停止した後、前記下水進水口は前記遮水シートに覆われる状態にで
き、前記汲水装置が起動すると、前記下水箱内に負圧が発生し、前記遮水シートが下水に
押されて前記下水箱内に拡張して、下水が進入して、水が満たされると、下水の押圧で前
記遮水シートが前記下水進水口を遮蔽するようになる、
ことを特徴とする請求項2に記載のハンドヘルド型掃払構造。
【請求項４】
前記使い捨てゴミカセットの材料は水防止紙である、
ことを特徴とする請求項1に記載のハンドヘルド型掃払構造。
【請求項５】
前記機体ハウジングは上蓋と下蓋を含み、前記上蓋の表面に開閉可能な上折畳み蓋が設置
され、前記上折畳み蓋が前記洗浄溝の直上方に位置し、さらに前記機体ハウジングの下蓋
に開閉可能な下折畳み蓋が設置され、前記下折畳み蓋が前記スポンジドラムの直上方に位
置し、前記下折畳み蓋が開放されたら前記スポンジドラムを前記下折畳み蓋から取り出す
ことができる、
ことを特徴とする請求項1に記載のハンドヘルド型掃払構造。
【請求項６】
前記機体ハウジングの外部に前バッフルが設置され、前記前バッフルが若干又は若干グル
ープの緩衝バネを介して前記機体ハウジングに接続されている、
ことを特徴とする請求項1に記載のハンドヘルド型掃払構造。
【請求項７】
前記ハンドルに前記プロセス制御ブロック制御板に接続される制御スイッチが設置されて
いる、
ことを特徴とする請求項1に記載のハンドヘルド型掃払構造。
【請求項８】
前記機体ハウジングの下面の四隅に前記機体ハウジングに対して回転可能な補助ローラが
設置されている、
ことを特徴とする請求項1に記載のハンドヘルド型掃払構造。
【考案の詳細な説明】
【技術分野】
【０００１】
本実用新案は、清掃機技術に関し、特にハンドヘルド型掃払構造に関する。
【背景技術】
【０００２】
清掃設備は、大型な清掃設備と小型な清掃設備に分類でき、一般的な家用或いはオフィス
用の清掃設備において、ブルーム、モップ、及び現代的に創出した吸塵機、電動ブルーム
、スチームモップなどがある。従来のブルームやモップは、値段が高くないが、掃除に適
用すれば時間がかかる。また、従来のモップは長時間にわたって床が乾かないという欠点
があり、モップの洗浄も面倒である。このため、もっと多くの人が、電動ブルーム、スチ
ームモップのような電動清掃製品を購買することにしてくる。現在市販される電動ブルー
ムと電動モップは、別々それ自身の機能を稼動させ、互いの適宜な結合がなく、使用にあ
まり便利でなく、単機能にすぎない。
【０００３】
よく見られる手動式ブルームとモップは、いずれも人工的に操作する必要があって、床の
清掃に手間がかかる。一部の電動ブルームと電動モップは、依然として、別々それ自身の
機能を稼動させ、両者の適宜な結合がなく、使用にあまり便利ではない。
【考案の概要】
【考案が解決しようとする課題】
【０００４】
本実用新案は、ハンドヘルド型掃払構造を提供し、従来の清掃機技術を改良することによ
り、従来の清掃機技術の使用する際に不便な問題を解決する。
【課題を解決するための手段】
【０００５】
上記の課題をするために、本実用新案は下記の技術方案を採用する。
【０００６】
ハンドヘルド型掃払構造であって、ハンドルと機体ハウジングを含んでおり、前記ハンド
ルの下端がカルダン継手を介して前記機体ハウジングに接続され、前記機体ハウジングの
内部に掃払ユニットと、水箱ユニットと、駆動ユニットと、ゴミ収集ユニットと、制御ユ
ニットと、電源ユニットとが備えられており、
前記掃払ユニットは、スポンジドラムと水溝ロッドを含み、前記スポンジドラムは機体ハ
ウジングの内部に固定される駆動ユニットによってその回転を駆動させ、前記機体ハウジ
ングの内部にさらに前記水溝ロッドが備えられており、前記水溝ロッドと前記スポンジド
ラムとが粘着されており、水溝ロッドとスポンジドラムの接触面に洗浄溝が形成されてお
り、
前記水箱ユニットは、上水箱と、下水箱と、水供給装置と、汲水装置と中継コネクターを
含み、前記中継コネクターの両端に上水箱と下水箱が取付けられ、前記上水箱が中継コネ
クターの外部に設けられる水供給装置に連通し、前記水供給装置が上水箱中の上水を洗浄
溝まで汲い取りるよう形成されており、前記下水箱は中継コネクターの外部に設けられる
汲水装置に連通し、前記汲水装置が洗浄溝中の下水を下水箱まで汲い取るよう形成されて
おり、、
前記駆動ユニットは駆動モータを含み、前記駆動モータの出力端がスポンジドラムに接続
されており、
前記ゴミ収集ユニットはゴミカセットとゴミカセット蓋を含み、前記機体ハウジングの側
面にゴミカセットを插入させる配置口が開設されており、前記ゴミカセットがスポンジド
ラムの後ろに設けられ、そして前記ゴミカセットの開口の下方におけるスポンジドラムに
対向する位置にスペードバーが設けられており、前記ゴミカセットの上方にさらにゴミカ
セット蓋が設けられ、前記ゴミカセット蓋にさらに一列のブラッシュが設けられ、前記ブ
ラッシュと前記スポンジドラムとが粘着されており、前記ブラッシュはスポンジドラムを
清掃するために形成されており、前記ゴミカセット内にさらに使い捨てゴミカセットが設
けられており、
前記制御ユニットはPCB（プロセス制御ブロック）制御板を含み、前記機体ハウジング内
に前記PCB制御板が取付けられ、前記PCB制御板が駆動ユニット及び水箱ユニットに接続さ
れ、前記PCB制御板は制御駆動ユニット及び水箱ユニットのオンまたはオフを制御するよ
う形成されており、
前記電源ユニットは、前記駆動ユニット及び制御ユニットに電気を供給するバッテリを含
んでいる。
【考案の効果】
【０００７】
従来の技術を比較して、本実用新案は、以下の有利な効果がある。
1）本実用新案では、駆動モータによりスポンジドラムを回動駆動させると、床のゴミを
スポンジドラムの後ろに設けられるゴミカセットの中まで掃き払うことがきる。水箱ユニ
ットの水供給装置が起動すると、上水箱中の水が洗浄溝に釈放されスポンジドラムを洗浄
するようにできる。洗浄されたスポンジドラムが床と摩擦してモップの機能が実現できる
し、きれいなドラムで実時的に床を擦れ洗うことができる。本実用新案によっては、床の
掃除機能もモップ機能も可能で、多機能的ものとしており、使用が便利で、従来のような
床の掃きやモップより、掃払仕事は効率的でかつ効果的になる。
2）本実用新案では、ゴミカセット蓋に一列のブラッシュを設けて、ブラッシュとスポン
ジドラムとを粘着させている。スポンジドラムが自転によって洗浄されるので、数箇所で
の煩雑な洗浄は省除した。
3）本実用新案では、ゴミカセット内に交換可能な使い捨てゴミカセットが設けられてい
る。操作後に、封蓋から使い捨てゴミカセットを取り出せばその交換はできる。無駄な手
間となる洗浄ゴミカセットの繰り返し洗浄は必要とせず、しかも、水防止紙から使い捨て
ゴミカセットを製作するので、コストが低く、実用性もよい。
4）本実用新案では、下水進水口の位置に逆流防止装置を設置している。汲水装置が起動
すると、下水箱内に負圧が発生し、遮水シートが下水に押されて下水箱内に拡張して、そ
れに下水が進入して、満たされると、下水の押し作用で遮水シートが下水の進水口を遮蔽
するようになって、下水が外へ流れない。
【図面の簡単な説明】
【０００８】
【図１】図1は本実用新案にかかる分解効果図である。
【図２】図2は本実用新案にかかる取付概略図である。
【図３】図3は本実用新案にかかる清掃溝の概略図である。
【図４】図4は本実用新案にかかるスポンジドラムと水溝ロッドの断面概略図である。
【図５】図5は本実用新案にかかるゴミカセットの構造概略図である。
【図６】図6は本実用新案にかかる水箱ユニットの概略図である。
【図７】図7は本実用新案にかかる逆流防止装置の概略図である。符号の説明1  ハンドル1；  2  機体ハウジング；  3  カルダン継手；  4  掃払ユニット；  5  水箱ユニット；  6  駆動ユニット；  7  ゴミ収集ユニット；  8  制御ユニット；  9  電源ユニット；  11  制御スイッチ；  21  上蓋；  22  下蓋22；  211  上折畳み蓋；  221  下折畳み蓋；  23  前バッフル；  24  緩衝バネ；  25  補助ローラ；  41  スポンジドラム；  42  水溝ロッド；  43  洗浄溝；  51  中継コネクター；  52  上水箱；  53  下水箱；  54  水供給装置；  55  汲水装置；  61  駆動モータ；71  ゴミカセット；  72  使い捨てゴミカセット；  73  ゴミカセット蓋；  74  ブラッシュ；  75  スペードバー；  711  配置口；  81  PCB制御板；  91  バッテリ；  541  水ポンプ進水パイプ；  542  水ポンプ；  543  浄水出水パイプ；  551  エアポンプ進気パイプ551；  552  エアポンプ；  553  エアポンプ排气パイプ；  554  下水進水パイプ；  531  下水進水口；  532  逆流防止装置；  5321  ホルダ；  5322  遮水シート
【考案を実施するための形態】
【０００９】
以下、図面と実施例を通じて、本実用新案を具体的に説明する。
【００１０】
図1〜3に示されるように、本実施の形態においてハンドヘルド型掃払構造が提供されてい
る。それはハンドル1と機体ハウジング2を含み、ハンドル1の下端がカルダン継手3を介し
て機体ハウジング2に接続され、前記機体ハウジング2の内部に掃払ユニット4と、水箱ユ
ニット5と、駆動ユニット6と、ゴミ収集ユニット7と、制御ユニット8と、電源ユニット9
とが備えられており、
掃払ユニット4はスポンジドラム41と水溝ロッド42を含み、スポンジドラム41は機体ハウ
ジング2内部に固定される駆動ユニット6によって回転を駆動させ、前記機体ハウジング2
の内部にさらに上記水溝ロッド42が備えられ、上記水溝ロッド42とスポンジドラム41とは
粘着されており、水溝ロッド42とスポンジドラム41の接触面に洗浄溝43が形成されており
、
水箱ユニット5は、上水箱52と、下水箱53と、水供給装置54と、汲水装置55と、中継コネ
クター51とを含む。上記中継コネクター51の両端に上水箱52と下水箱53とが取付けられ、
上水箱52は中継コネクター51の外部に設けられる水供給装置54に連通し、上記水供給装置
54は上水箱52における上水を洗浄溝43まで汲い取るよう形成されており、下水箱53は中継
コネクター51の外部に設けられる汲水装置55に連通し、上記汲水装置55は洗浄溝43におけ
る下水を下水箱53まで汲い取るよう形成されている。
上記駆動ユニット6は駆動モータ61を含み、上記駆動モータ61の出力端がスポンジドラム4
1に接続されている。
【００１１】
ゴミ収集ユニット7はゴミカセット71とゴミカセット蓋73を含み、上記機体ハウジング2の
側面にゴミカセット71を插入させる配置口711が開設されており、上記ゴミカセット71が
スポンジドラム41の後ろに設けられ、また上記ゴミカセット71の開口の下方におけるスポ
ンジドラム41に対向する位置にスペードバー75が設けられ、上記ゴミカセット71の上方に
さらにゴミカセット蓋73が設けられ、上記ゴミカセット蓋73にさらに一列のブラッシュ74
が設けられ、上記ブラッシュ74とスポンジドラム41とが粘着されており、上記ブラッシュ
74はスポンジドラム41を清掃するために形成されており、上記ゴミカセット71内にさらに
使い捨てゴミカセット72が設けられている。スポンジドラム41が回転すると、ブラッシュ
74がスポンジドラム41の表面を洗浄できるようになる。
【００１２】
制御ユニット8はPCB制御板81を含み、PCB制御板が機体ハウジング2内に81取付けられてい
る。上記PCB制御板81が駆動ユニット6及び水箱ユニット5に接続され、上記PCB制御板81は
制御駆動ユニット6及び水箱ユニット5のオンまたはオフを制御するよう形成されている。
【００１３】
電源ユニット9はバッテリ91を含んでおり、該バッテリ91が駆動ユニット6及び制御ユニッ
ト8に電気を供給するために形成される。
【００１４】
水供給装置54による上水箱52の上水抽出が快速にできるために、上記水供給装置54は水ポ
ンプ進水パイプ541と、水ポンプ542と、浄水出水パイプ543とを備えている。水ポンプ進
水パイプ541が上水箱52に連通し、浄水出水パイプ543と水ポンプ進水パイプ541の間に水
ポンプ542が設けられており、上記浄水出水パイプ543が洗浄溝43の一端に設置されている
。それによって、水ポンプ542が起動すると、上水箱52中の水が浄水出水パイプ543に汲い
入れられ、洗浄溝43に進入して、延いては、スポンジドラム41を浸漬させる。
【００１５】
汲水装置55によって洗浄溝43中の下水を下水箱53まで吸い取ることが可能にさせるために
、上記汲水装置55はエアポンプ進気パイプ551と、エアポンプ552と、エアポンプ排气パイ
プ553と、下水進水パイプ554とを含んでいる。エアポンプ進気パイプ551と下水箱53とが
連通し、エアポンプ進気パイプ551とエアポンプ排气パイプ553の間にエアポンプ552が設
置され、下水箱53にさらに下水進水パイプ554が接続され、上記下水進水パイプ554が洗浄
溝43における浄水出水パイプ543と反対側の他端に接続されている。エアポンプ552が起動
すると、下水箱53内の空气を抽出して下水箱53内に負圧となり、下水進水パイプ554中の
下水が大気圧により下水箱53に進入させる。
【００１６】
水箱の抽出では、下水進水パイプ554から下水箱53中の下水の逆流を回避するために、上
記下水進水パイプ554と下水箱53の接続位置に下水進水口531が設置され、さらに上記下水
箱53内に逆流防止装置532が設置され、上記逆流防止装置532はホルダ5321と遮水シート53
22を含み、上記遮水シート5322が折り曲げ可能な軽質弾性シートとされており、上記ホル
ダ5321によって遮水シート5322を下水進水口531に固定しており、また遮水シート5322と
下水進水口531の間に隙間が空いている。それによって、汲水装置55が起動すると、下水
進水パイプ554中の水が下水箱53に進入することができる。汲水装置55がオフになった後
、下水進水口531は遮水シート5322に覆われる状態にできる。汲水装置55が起動すると、
下水箱53内に負圧が発生し、遮水シート5322が下水に押されて下水箱53内に拡張して、下
水が進入して、水が満たされると、下水の押しで遮水シート5322が下水の進水口531を遮
蔽するようになり、下水が外へ流れなくなる。
【００１７】
使い捨てゴミカセット72に良好な実用性を具備させるために、上記使い捨てゴミカセット
72の材料は水防止紙とされている。水防止紙は、低コストで、そして、下水を器械内部に
浸透するのを防止する機能がある。
【００１８】
洗浄溝43内に残されるゴミを容易に洗浄することと、スポンジドラム41を取り出して洗浄
することとを両立させるために、前記機体ハウジング2は上蓋21と下蓋22を含み、上蓋21
の表面に開閉可能な上折畳み蓋211が設置され、前記上折畳み蓋211が洗浄溝43の直上方に
位置し、さらに前記機体ハウジング2の下蓋22に開閉可能な下折畳み蓋221が設置され、前
記下折畳み蓋221がスポンジドラム41の直上方に位置し、そして下折畳み蓋221が開放され
たら前記スポンジドラム41を下折畳み蓋から取り出すことができる。洗浄溝内に残される
ゴミを洗浄する場合は、上折畳み蓋211を開けて、洗浄溝を洗浄することですみ、スポン
ジドラムを取り出して洗浄する場合は、下折畳み蓋221を開けて、スポンジドラム41を取
り出し洗浄してもよい。
【００１９】
機体ハウジング2が外部に衝突してしまう場合などの時では設備の損害が発生しないよう
にできるために、さらに上記機体ハウジング2の外部に前バッフル23が設置され、上記前
バッフル23が若干又は若干グループの緩衝バネ24を介して機体ハウジング2に接続されて
いる。緩衝バネ24を介することにより、衝突際の衝撃力を減少し、衝撃にによる設備の損
害を無くさせる。
【００２０】
手で持たれるときに設備のオンオフ制御を便利にさせるために、上記ハンドル1にPCB制御
板81に接続される制御スイッチ11が設置されている。
【００２１】
手で持たれるときに設備の押し引きがより省力化でき、かつ設備にはより良好な運動効果
をもたれるために、上記機体ハウジング2の下面の四隅に機体ハウジング2に対して回転可
能な補助ローラ25が設置されている。
【００２２】
駆動モータ61によりスポンジドラム41を回動駆動させると、床のゴミをスポンジドラム41
の後ろに設けられるゴミカセット72の中まで掃き払うことがきる。水箱ユニット5の水供
給装置54が起動すると、上水箱中の水が洗浄溝43に釈放されスポンジドラム41を洗浄する
ようにできる。洗浄されたスポンジドラム41が床と摩擦してモップの機能が実現できるし
、きれいなドラムで実時的に床を擦れ洗うことができる。
【００２３】
最後に、以上の実施例は明細書が開示する実用新案の技術方案を制限するものではなく、
本実用新案の好ましい実施例の説明であり、当業者は、本実用新案において、明細書に開
示の技術思想の範囲内で様々な変更及び修正を行うことができ、同様な構造やプロセス、
他の領域の直接又は間接的な適用など、置換、変更、改善はいずれも本実用新案の保護範
囲に入ることを理解すべきである。
【図１】
0003222463.tif 000003
【図２】
0003222463.tif 000004
【図３】
0003222463.tif 000005
【図４】
0003222463.tif 000006
【図５】
0003222463.tif 000007
【図６】
0003222463.tif 000008
【図７】
0003222463.tif 000009